(57)【要約】【課題】放送内容と同期した付加データ（メタデータ）を利用することにより、録画番組の一覧を表示する際に表示させる番組情報を、録画番組の視聴状態に応じて動的に変化させるようにした録画再生装置を提供する。【解決手段】録画再生装置１０は、付加データに基づいて番組情報を生成する番組情報生成・表示部１２と、録画番組の中から再生する番組を決定する再生開始地点決定部１３とを備える。番組情報生成・表示部１２は、番組の再生時に録画番組のリストを表示する際に、付加データに基づいて、録画番組の視聴状態に応じた番組情報を生成し、再生開始地点決定部１３は、録画番組を再生する際に、ユーザ指示に従って、番組情報生成・表示部１２により生成された番組情報の一部が選択されると、その番組情報に関連付けられた位置から番組を再生する。【選択図】図２
2008022369.tif 000002
【特許請求の範囲】
【請求項１】
番組とその番組に関連する付加データとを記録し、記録した録画番組を再生可能な録画再生装置において、
付加データに基づいて番組情報を生成する番組情報生成部を備え、
前記番組情報生成部は、番組の再生時に録画番組のリストを表示する際に、付加データに基づいて動的に番組情報を生成することを特徴とする録画再生装置。
【請求項２】
請求項１に記載の録画再生装置において、
前記番組情報生成部は、録画番組の視聴状態に応じて番組情報を生成することを特徴とする録画再生装置。
【請求項３】
請求項１に記載の録画再生装置において、
前記番組情報生成部は、録画番組の番組情報として、選択可能な情報の集合を生成することを特徴とする録画再生装置。
【請求項４】
請求項１に記載の録画再生装置において、
録画番組の中から、再生する番組を決定する再生番組決定部を備え、
前記再生番組決定部は、録画番組を再生する際に、ユーザ指示に従って、前記番組情報生成部により生成された番組情報の一部が選択されると、その番組情報に関連付けられた位置から番組を再生することを特徴とする録画再生装置。
【請求項５】
請求項１に記載の録画再生装置において、
録画番組に関連する関連番組を検索する関連番組検索部を備え、
前記関連番組検索部は、録画番組の中から、再生対象とする番組に関連する付加データを持つ他の番組を検索し、前記番組情報生成部は、前記関連番組検索部による検索結果に基づいて、前記他の番組の関連番組情報を生成して画面に表示することを特徴とする録画再生装置。
【請求項６】
請求項５に記載の録画再生装置において、
録画番組の中から、再生する番組を決定する再生番組決定部を備え、
前記再生番組決定部は、録画番組を再生する際に、ユーザ指示に従って、前記番組情報生成部により生成された番組情報の一部が選択されると、その番組情報に応じた番組ではなく、前記番組情報に関連付けられた番組を再生することを特徴とする録画再生装置。
【請求項７】
番組とその番組に関連する付加データとを記録し、記録した録画番組を再生可能な録画再生装置の録画再生方法において、
付加データに基づいて番組情報を生成する番組情報生成ステップを有し、
前記番組情報生成ステップは、番組の再生時に録画番組のリストを表示する際に、付加データに基づいて動的に番組情報を生成することを特徴とする録画再生方法。
【請求項８】
請求項７に記載の録画再生方法において、
前記番組情報生成ステップは、録画番組の視聴状態に応じて番組情報を生成することを特徴とする録画再生方法。
【請求項９】
請求項７に記載の録画再生方法において、
前記番組情報生成ステップは、録画番組の番組情報として、選択可能な情報の集合を生成することを特徴とする録画再生方法。
【請求項１０】
請求項７に記載の録画再生方法において、
録画番組の中から、再生する番組を決定する再生番組決定ステップを有し、
前記再生番組決定ステップは、録画番組を再生する際に、ユーザ指示に従って、前記番組情報生成ステップにおいて生成された番組情報の一部が選択されると、その番組情報に関連付けられた位置から番組を再生することを特徴とする録画再生方法。
【請求項１１】
請求項７に記載の録画再生方法において、
録画番組に関連する関連番組を検索する関連番組検索ステップを有し、
前記関連番組検索ステップは、録画番組の中から、再生対象とする番組に関連する付加データを持つ他の番組を検索し、前記番組情報生成ステップは、前記関連番組検索ステップにおける検索結果に基づいて、前記他の番組の関連番組情報を生成して画面に表示することを特徴とする録画再生方法。
【請求項１２】
請求項１１に記載の録画再生方法において、
録画番組の中から、再生する番組を決定する再生番組決定ステップを有し、
前記再生番組決定ステップは、録画番組を再生する際に、ユーザ指示に従って、前記番組情報生成ステップにおいて生成された番組情報の一部が選択されると、その番組情報に応じた番組ではなく、前記番組情報に関連付けられた番組を再生することを特徴とする録画再生方法。
【発明の詳細な説明】
【技術分野】
【０００１】
本発明は、録画再生装置及び方法、より詳細には、番組に関連する付加データを利用した放送番組の録画、再生を行う番組録画装置および録画番組再生装置、該装置による録画再生方法に関する。
【背景技術】
【０００２】
従来の放送番組の録画再生装置は、放送されてくる番組を日時やチャンネルを指定したり、あるいは番組毎に振られたＩＤ番号を利用し番組単位で記録を行い、ユーザが視聴したいときには録画された番組単位で再生を行っていた。近年ではＥＰＧ（電子番組表）に代表されるような番組に関する番組情報も利用されるようになってきており、録画時にその番組情報を利用し視覚的に分かり易い録画方法を提供したり、再生時にも、録画された番組のリストを表示する際に、その番組情報をあわせて表示するなど、録画された番組内容をユーザに分かり易く伝える機能を備えた装置が増えてきている。
【０００３】
現在、放送番組の録画再生装置が利用しているＥＰＧなどの番組情報は静的な情報を主としている。そのため、一度録画された番組に付属する情報は番組全体に対する固定的な情報であり、その情報を利用して、録画番組を再生する際に画面に表示される番組情報も、同じ番組を再生する限りにおいては常に同じ情報が表示されることになる。
【０００４】
一方、近年、放送のデジタル化、ネットワークインフラの発達により放送される番組データと密接に関連付けられたデータであるメタデータが提供されるようになりつつあり、その利用方法に関して様々なところから提案がなされている。例えば、特許文献１に示すような利用方法が提案されている。この特許文献１において、録画再生装置は映像情報とともに映像情報を特定するためのメタデータを持っており、ユーザはメタデータを利用して、特定のシーンの映像を容易に視聴できるようになっている。
【特許文献１】特開２００２−２３２８３３号公報
【発明の開示】
【発明が解決しようとする課題】
【０００５】
ここで、番組のメタデータの作成方法については特に決まりはなく、データ作成者が自由なデータを作成可能である。例えば、放送の内容と同期した番組の内容に関する情報がメタデータとして付加されているとし、その情報を利用して録画再生装置に録画されている番組の一覧を作成することを考える。
【０００６】
従来装置の場合、図１２に示すように、録画番組の一覧を出す際に表示される番組情報は固定的な情報が表示されるだけであった。この番組情報はそれぞれの番組に対して単一の固定的なものが付与されており、番組情報が表示されるときには録画された番組の視聴状態に関わらず、常に同じ情報が表示されることとなっていた。このことは、特許文献１に記載の発明でも同様である。
【０００７】
このため、例えば、長時間録画された番組を再生する際、途中で視聴をやめて、その後、続き部分から再生しようとしたときに、常に同じ番組情報（あらすじなど）が画面に表示されてしまい、ユーザはどこまで視聴したのかわからない状態で続きを視聴することになる。
【０００８】
本発明は、上述のごとき実情に鑑みてなされたものであり、放送内容と同期した付加データ（メタデータ）を利用することにより、録画番組の一覧を表示する際に表示させる番組情報を、録画番組の視聴状態に応じて動的に変化させるようにした録画再生装置及び該装置による録画再生方法を提供すること、を目的とする。
【課題を解決するための手段】
【０００９】
上記課題を解決するために、本発明の第１の技術手段は、番組とその番組に関連する付加データとを記録し、記録した録画番組を再生可能な録画再生装置において、付加データに基づいて番組情報を生成する番組情報生成部を備え、前記番組情報生成部は、番組の再生時に録画番組のリストを表示する際に、付加データに基づいて動的に番組情報を生成することを特徴としたものである。
【００１０】
第２の技術手段は、第１の技術手段において、前記番組情報生成部は、録画番組の視聴状態に応じて番組情報を生成することを特徴としたものである。
【００１１】
第３の技術手段は、第１の技術手段において、前記番組情報生成部は、録画番組の番組情報として、選択可能な情報の集合を生成することを特徴としたものである。
【００１２】
第４の技術手段は、第１の技術手段において、録画番組の中から、再生する番組を決定する再生番組決定部を備え、前記再生番組決定部は、録画番組を再生する際に、ユーザ指示に従って、前記番組情報生成部により生成された番組情報の一部が選択されると、その番組情報に関連付けられた位置から番組を再生することを特徴としたものである。
【００１３】
第５の技術手段は、第１の技術手段において、録画番組に関連する関連番組を検索する関連番組検索部を備え、前記関連番組検索部は、録画番組の中から、再生対象とする番組に関連する付加データを持つ他の番組を検索し、前記番組情報生成部は、前記関連番組検索部による検索結果に基づいて、前記他の番組の関連番組情報を生成して画面に表示することを特徴としたものである。
【００１４】
第６の技術手段は、第５の技術手段において、録画番組の中から、再生する番組を決定する再生番組決定部を備え、前記再生番組決定部は、録画番組を再生する際に、ユーザ指示に従って、前記番組情報生成部により生成された番組情報の一部が選択されると、その番組情報に応じた番組ではなく、前記番組情報に関連付けられた番組を再生することを特徴としたものである。
【００１５】
第７の技術手段は、番組とその番組に関連する付加データとを記録し、記録した録画番組を再生可能な録画再生装置の録画再生方法において、付加データに基づいて番組情報を生成する番組情報生成ステップを有し、前記番組情報生成ステップは、番組の再生時に録画番組のリストを表示する際に、付加データに基づいて動的に番組情報を生成することを特徴としたものである。
【００１６】
第８の技術手段は、第７の技術手段において、前記番組情報生成ステップは、録画番組の視聴状態に応じて番組情報を生成することを特徴としたものである。
【００１７】
第９の技術手段は、第７の技術手段において、前記番組情報生成ステップは、録画番組の番組情報として、選択可能な情報の集合を生成することを特徴としたものである。
【００１８】
第１０の技術手段は、第７の技術手段において、録画番組の中から、再生する番組を決定する再生番組決定ステップを有し、前記再生番組決定ステップは、録画番組を再生する際に、ユーザ指示に従って、前記番組情報生成ステップにおいて生成された番組情報の一部が選択されると、その番組情報に関連付けられた位置から番組を再生することを特徴としたものである。
【００１９】
第１１の技術手段は、第７の技術手段において、録画番組に関連する関連番組を検索する関連番組検索ステップを有し、前記関連番組検索ステップは、録画番組の中から、再生対象とする番組に関連する付加データを持つ他の番組を検索し、前記番組情報生成ステップは、前記関連番組検索ステップにおける検索結果に基づいて、前記他の番組の関連番組情報を生成して画面に表示することを特徴としたものである。
【００２０】
第１２の技術手段は、第１１の技術手段において、録画番組の中から、再生する番組を決定する再生番組決定ステップを有し、前記再生番組決定ステップは、録画番組を再生する際に、ユーザ指示に従って、前記番組情報生成ステップにおいて生成された番組情報の一部が選択されると、その番組情報に応じた番組ではなく、前記番組情報に関連付けられた番組を再生することを特徴としたものである。
【発明の効果】
【００２１】
本発明によれば、放送内容と同期した付加データ（メタデータ）を利用することにより、録画番組の一覧を表示する際に表示させる番組情報を、録画番組の視聴状態に応じて動的に変化させることができるため、特に長時間録画された番組を再生する際、途中で視聴をやめて、その後、続き部分から再生しようとしたときに、その地点までの番組内容（あらすじなど）が画面に表示され、続き部分からのストーリーを容易に楽しむことが可能となる。
【発明を実施するための最良の形態】
【００２２】
以下、添付図面を参照しながら、本発明の録画再生装置及び該装置による録画再生方法に係る好適な実施の形態について説明する。なお、同じ機能を有する部分には同じ符号を付し、繰り返しの説明は省略する。
【００２３】
本発明による録画再生装置は、番組データとその番組データに関連するメタデータを記録し、再生時にはそのメタデータを利用することにより、ユーザによる番組の視聴状態に応じて、動的に番組情報を変化させて表示できるようにしたものである。
【００２４】
図１は、本発明による録画再生装置が使用する番組データ及びそのメタデータの関係の一例を示す図である。図１に例示するように、番組データは時系列にそって意味のある６つのブロック（要約Ａ〜Ｆ）に分けられ、それぞれのブロックはその内容に応じたメタデータを持っている。複数ブロックの内容をまとめたメタデータもデータとして存在する。このデータは個々のブロックのメタデータを利用して作成しても良いし、メタデータの作成者があらかじめ作成したメタデータであっても良い。
【００２５】
なお、メタデータは放送される番組データ記録時に番組データとともに記録されても、番組データとは別に他のネットワーク経由で送信されてくるデータを記録したものであってもどちらでも構わない。
【００２６】
（第１の実施形態）
図２は、本発明に係る録画再生装置の要部構成例を示すブロック図で、図中、１０は録画再生装置を示す。この録画再生装置１０は、装置内に録画された番組のユーザの視聴状態（例えば、どこまで視聴したかなどの視聴位置）を判断する番組視聴状態判断部１１と、番組の視聴状態に応じて画面に表示させる番組情報を生成する本発明の番組情報生成部に相当する番組情報生成・表示部１２と、番組のどの位置から再生を開始するかを決定する本発明の再生番組決定部に相当する再生開始地点決定部１３と、再生開始地点決定部１３で決定された再生地点から番組データを再生する番組再生部１４と、から構成される。
【００２７】
図３は、本発明による録画再生装置１０にて録画された番組を再生する際、再生対象とする番組を選択するために、画面上に番組リストを表示させた状態の一例を示す図である。また、図４は、画面上に番組リストを表示させた状態の他の例を示す図である。
【００２８】
図３及び図４において、再生対象となっている番組はそれぞれ２１、３１であるが、それらは同じ番組をあらわしている。しかし、図３に示す視聴状況では再生開始前までに視聴済みであった位置はＴ１であったのに対し、図４に示す視聴状況では再生開始前までに視聴していた位置はＴ２であった。本実施形態に示す録画再生装置１０は、再生対象の番組にフォーカスをあわせると、そのフォーカスされている番組の情報を画面上段に表示するようになっている。図３の場合には番組情報として、要約１を、図４の場合には要約２を番組情報として表示している。
【００２９】
従来、番組情報として表示されるものは固定的な番組に全体に関する説明であったり、出演者情報、録画日時、放送局名などであった。本実施形態に示す録画再生装置１０の場合、番組情報を表示する際に、番組視聴状態判断部１１が、再生対象として選択された番組が以前に視聴されたことがあるかどうか、どこまで番組を視聴していたかを判断する。そして、番組情報生成・表示部１２は、番組視聴状態判断部１１による判断の結果、得られた時間情報に基づいてメタデータを参照することにより、視聴状態に応じた番組情報を生成して画面に表示する。このように、従来とは異なり、ユーザの視聴状態に応じて番組情報を動的に変化させて表示することができる。
【００３０】
図５は、本発明による番組情報を利用して特定位置から番組を再生させる状態の一例を示す図である。このように、画面上段に表示される番組情報を利用して番組の既に視聴済みである部分の特定箇所から再生を行うことも可能となる。
【００３１】
図５の例では番組をＴ３の位置まで視聴済みであったとしている。この場合、画面に表示される番組情報は、選択可能な情報の集合として、情報Ａ、情報Ｂ、情報Ｃから構成される。番組情報を構成するそれぞれの情報は番組の特定部分と関連付けがなされている。ここで、ユーザが番組情報を見て、気になる、あるいは再度見直したい部分があったときに、番組情報の該当する文章（ここではあらすじの一部）にカーソルを合わせるなどして、その部分情報が選択されると、再生開始地点決定部１３が、その部分情報に関連付けられた位置を番組再生開始位置として設定し、その位置からの番組データが番組再生部１４により再生されるようにしてもよい。例えば、図５において、情報Ａが選択されれば時刻Ｔａの位置から番組が再生され、情報Ｂが選択されれば時刻Ｔｂの位置から番組が再生される。
【００３２】
これまで説明した本発明の第１の実施形態に係る録画再生装置１０の動作例について、図６及び図７に基づいて説明する。
【００３３】
図６は、本発明の第１の実施形態に係る録画再生装置１０の構成例を示すブロック図で、録画再生装置１０は、図２に示した番組視聴状態判断部１１、番組情報生成・表示部１２、再生開始地点決定部１３、番組再生部１４に加えて、さらに、番組選択部１５、再生開始地点選択部１６を備えて構成される。
【００３４】
図７は、図６に示す録画再生装置１０による録画再生方法の一例を説明するためのフロー図である。まず、録画再生装置１０は、番組再生時において、番組選択部１５が、ユーザからの操作を受け付けて、再生対象とする番組を選択するために番組リスト上でカーソル枠等の移動を行う（ステップＳ１）。その後、番組視聴状態判定部１１が、再生対象としてフォーカスされた番組が今回初めて視聴する番組なのか、以前に再生されたことがある番組なのかをチェックする（ステップＳ２）。
【００３５】
次に、番組情報生成・表示部１２が、画面上段に表示する番組情報を生成して表示する。このとき、ステップＳ２において、既に一部分でも視聴済みの番組であった場合（ＮＯの場合）、視聴済みの部分に関連付けられた番組のメタデータを利用して、画面に表示する番組情報（ここではあらすじ）を作成して表示する（ステップＳ３）。
【００３６】
ステップＳ３において、以前に視聴履歴のある番組については録画タイトル一覧画面上に、視聴済みの部分の番組内容に関する番組情報（あらすじ）が表示されている。このあらすじを構成する個々の文章もしくは単語はユーザが選択可能なものとなっている。それぞれの文章もしくは単語は、番組データの特定位置に関連付けされており、それら（あらすじの一部）が選択されず（ステップＳ４のＮＯの場合）、フォーカスされたタイトルの再生開始を指示された場合（ステップＳ５のＹＥＳの場合）、再生開始地点決定部１３が、前回視聴済みの部分の最後の地点を再生開始位置としてセットし、前回視聴していた部分の続きから再生を行う（ステップＳ６）。また、ステップＳ５のＮＯの場合、ステップＳ４に戻り処理を繰り返す。
【００３７】
また、ステップＳ４において、表示されたあらすじの一部が選択された場合（ＹＥＳの場合）、再生開始地点決定部１３が、選択された情報に関連付けされた位置を番組の再生開始位置としてセットし、番組再生部１４が、セットされた位置から番組の再生を開始する（ステップＳ７）。
【００３８】
一方、ステップＳ２において、初めて再生する、言い換えれば、今まで一度も視聴されたことのない番組の場合（ＹＥＳの場合）、フォーカスされたタイトルの番組全般に関する固定的な番組情報を表示する（ステップＳ８）。
【００３９】
ここで、今まで一度も視聴されたことのない番組の場合、ユーザから再生開始の指示が出された場合（ステップＳ９のＹＥＳの場合）、再生開始地点決定部１３が、番組の先頭を再生開始位置にセットし、番組再生部１４が、その番組データの先頭から再生を行う（ステップＳ１０）。また、ステップＳ９において、ユーザから再生開始の指示が出ない場合（ＮＯの場合）、ステップＳ９の処理を繰り返す。
【００４０】
このように、本実施形態によれば、放送内容と同期した付加データ（メタデータ）を利用することにより、録画番組の一覧を表示する際に表示させる番組情報を、録画番組の視聴状態に応じて動的に変化させることができるため、特に長時間録画された番組を再生する際、途中で視聴をやめて、その後、続き部分から再生しようとしたときに、その地点までの番組内容（あらすじなど）が画面に表示され、続き部分からのストーリーを容易に楽しむことが可能となる。
【００４１】
また、もし続き部分から再生しようとしたときに、それまでの番組のストーリーで気になる部分があれば、画面に表示されているあらすじの特定部分を選択することにより、既に視聴済みである番組の特定部分を容易に再度、再生することができる。
【００４２】
（第２の実施形態）
次に、図８〜図１１に基づいて、本発明の録画再生装置及び該装置による録画再生方法に係る第２の実施形態について説明する。
【００４３】
図８は、本発明の第２の実施形態に係る録画再生装置１０の構成例を示すブロック図である。図中、録画再生装置１０は、図２に示した番組情報生成・表示部１２、再生開始地点決定部１３、番組再生部１４に加えて、さらに、番組種別判定部１７、関連番組検索部１８を備えて構成される。
【００４４】
図８において、番組種別判定部１７は、再生対象である番組が複数回に分けて放送され記録されたシリーズ番組かどうかを判別する。関連番組検索部１８は、当該番組がシリーズ番組であった場合、装置内に関連する番組が記録されているかどうかを検索する。番組情報生成・表示部１２は、関連番組検索部１８で検索された番組の番組情報から画面に表示する番組情報を作成し表示する。再生開始地点決定部１３は、再生を開始する番組データの位置を決定する。番組再生部１４は、再生開始地点決定部１３で決定された位置から番組データを再生する。
【００４５】
図９は、本発明による録画再生装置１０により録画された番組を再生する際に、再生対象とする番組を選択するために、画面上に番組リストを表示させた状態の一例を示す図である。
【００４６】
図９において、ユーザが再生しようとしている番組はカーソルでフォーカスされている番組５１である。番組５１は複数の回数に分けて放送されたシリーズものの番組の一部であり、装置内には番組５１以前に放送された番組として番組Ａ、番組Ｂ、番組Ｃが記録されている。
【００４７】
このとき、本発明による録画再生装置１０は、番組５１にフォーカスが当たった際に、番組種別判定部１７が、この番組がシリーズものの番組であるのかどうかを判定し、そうであった場合、何回目の放送であったのかを判定する。シリーズ番組であり、なおかつ２回目以降の番組であった場合には、関連番組検索部１８が、装置内に記録されている番組５１に関連する、以前に放送された番組を検索する。検索の結果、番組が装置内に存在した場合、番組情報生成・表示部１２が、当該番組のメタデータを使って番組情報を生成して画面に表示する。
【００４８】
図１０は、本発明の第２の実施形態における番組情報の生成処理の一例について説明するための図である。本例において、６１はユーザが再生しようとしたタイトルとする。このタイトル６１はシリーズ番組を記録したものである。このとき本発明による録画再生装置１０は、タイトル６１がシリーズ番組の一部であることを認識し、装置内に関連する過去の番組が存在するかどうかを検索する。
【００４９】
この例では、タイトル６２、タイトル６３、タイトル６４が検索されたタイトルである。それぞれのタイトルの時系列関係は、タイトル６２＜タイトル６３＜タイトル６４とする。それぞれのタイトルは、各回の内容を記述したメタデータ６５、６６、６７をもっており、録画再生装置１０はそれらの情報を番組情報として画面に表示する。
【００５０】
前述の第１の実施形態のときと同様、番組情報は特定の番組に関連付けられた複数の情報により構成されており、カーソル等によりユーザによって選択可能な番組情報となっている。ユーザは現在フォーカスしている番組を再生することも可能であるし、表示されている過去の番組情報を選択することにより、その番組情報に関連付けられた番組を再生することも可能である。ユーザ操作に応じて、再生する番組は再生開始地点決定部１３により決定され、最終的に選択された番組が番組再生部１４により再生される。
【００５１】
ここまで説明した本発明の第２の実施形態に係る録画再生装置１０の動作例について、図１１に基づいて説明する。
【００５２】
図１１は、図８に示した録画再生装置１０による録画再生方法の一例を説明するためのフロー図である。まず、録画再生装置１０は、番組再生時において、再生対象の番組を選択するために番組リスト上でカーソル枠等の移動が行われ、カーソルでフォーカスされた番組がシリーズ番組かどうか、何回目の番組であるかの判定が行われる（ステップＳ１１）。
【００５３】
録画再生装置１０は、ステップＳ１１において、フォーカスされた番組がシリーズ番組で且つ２回目以降の番組であった場合（ＹＥＳの場合）、装置内に以前に放送された番組が記録されていないかどうかの検索を行う（ステップＳ１２）。この検索の結果、以前に放送された番組が見つかった場合（ＹＥＳの場合）、その番組（前回までの番組）に関連付けられたメタデータを使って番組情報（前回までのあらすじ）を作成し、画面に表示する（ステップＳ１３）。
【００５４】
そして、録画再生装置１０は、ユーザ操作に従って、画面表示されたあらすじの一部が選択されたかどうかを判断し（ステップＳ１４）、あらすじの一部が選択されなかった場合（ＮＯの場合）、フォーカスされたタイトルをそのまま再生開始するよう指示されたかどうかを判断する（ステップＳ１５）。
【００５５】
録画再生装置１０は、ステップＳ１５において、そのまま再生開始するように指示された場合（ＹＥＳの場合）、フォーカス（選択）されたタイトルを再生する（ステップＳ１６）。また、ステップＳ１５において、フォーカスされたタイトルの再生開始が指示されなかった場合（ＮＯの場合）、ステップＳ１４に戻り処理を繰り返す。
【００５６】
また、ステップＳ１４において、画面表示されたあらすじの一部が選択された場合（ＹＥＳの場合）、選択されたあらすじに関連付けされたタイトルを再生する（ステップＳ１７）。
【００５７】
一方、録画再生装置１０は、ステップＳ１１において、フォーカスされた番組がシリーズ番組で且つ２回目以降の番組でない場合（ＮＯの場合）、また、ステップＳ１２において、前回以前の番組が装置内に記録されていない場合（ＮＯの場合）、番組情報として、現在フォーカスされている番組の情報を表示し（ステップＳ１８）、通常のタイトル再生のシーケンスとして、再生が指示されればその番組を再生する（ステップＳ１９）。
【００５８】
このように、本実施形態によれば、第１の実施形態において奏する効果に加えて、さらに、視聴しようとしている番組が複数回に分けて放送されるシリーズ番組であった場合、２回目以降の番組を再生する際に、それ以前の回の番組情報が表示されるので、２回目以降の放送を容易に楽しむことが可能となる。
【００５９】
また、もし以前の回の番組内容が気になる場合、画面に表示されている番組関連情報を選択することにより、その回の番組を容易に再度、再生することが可能となる。
【図面の簡単な説明】
【００６０】
【図１】本発明による録画再生装置が使用する番組データ及びそのメタデータの関係の一例を示す図である。
【図２】本発明に係る録画再生装置の要部構成例を示すブロック図である。
【図３】本発明による録画再生装置にて録画された番組を再生する際、再生対象とする番組を選択するために、画面上に番組リストを表示させた状態の一例を示す図である。
【図４】画面上に番組リストを表示させた状態の他の例を示す図である。
【図５】本発明による番組情報を利用して特定位置から番組を再生させる状態の一例を示す図である。
【図６】本発明の第１の実施形態に係る録画再生装置の構成例を示すブロック図である。
【図７】図６に示す録画再生装置による録画再生方法の一例を説明するためのフロー図である。
【図８】本発明の第２の実施形態に係る録画再生装置の構成例を示すブロック図である。
【図９】本発明による録画再生装置により録画された番組を再生する際に、再生対象とする番組を選択するために、画面上に番組リストを表示させた状態の一例を示す図である。
【図１０】本発明の第２の実施形態における番組情報の生成処理の一例について説明するための図である。
【図１１】図８に示した録画再生装置による録画再生方法の一例を説明するためのフロー図である。
【図１２】従来装置による番組情報の表示例を示す図である。
【符号の説明】
【００６１】
１０…録画再生装置、１１…番組視聴状態判断部、１２…番組情報生成・表示部、１３…再生開始地点決定部、１４…番組再生部、１５…番組選択部、１６…再生開始地点選択部、１７…番組種別判定部、１８…関連番組検索部。
【図１】
2008022369.tif 000003
【図２】
2008022369.tif 000004
【図３】
2008022369.tif 000005
【図４】
2008022369.tif 000006
【図５】
2008022369.tif 000007
【図６】
2008022369.tif 000008
【図７】
2008022369.tif 000009
【図８】
2008022369.tif 000010
【図９】
2008022369.tif 000011
【図１０】
2008022369.tif 000012
【図１１】
2008022369.tif 000013
【図１２】
2008022369.tif 000014